(57)【要約】      （修正有）【課題】構造を簡素化した分離貯蔵構造を備える容器装置を提供し、それにより製造工程を簡易化して、組み立て手順を容易にできること。【解決手段】分離貯蔵構造を備える容器装置において、第１物質３０が満たされた本体２０と、当該本体上にキャップされた蓋部材４０と、少なくとも一つの第２物質８０を収納する密封部材と、当該密封部材をホールドするホルダー手段と、当該密封部材のカッティングをする範囲を制限するオープン部材と、を備え、当該蓋部材及び当該ホルダー手段５１はそれぞれ対応する密接した浸透防止構造を備え、当該本体に満たされた第１物質が当該本体の開口から外部に漏れることを防ぎ、当該オープン部材は当該第２物質の密封状態を解除し、当該第２物質と当該第１物質とを当該本体の中において混合させ、当該密封部材のカットされた部分がその他の部分と連接され、当該本体の容器空間に落ちないようにする。【選択図】図５
0003101287.tif 000002
【実用新案登録請求の範囲】
【請求項１】
分離貯蔵構造を備える容器装置において、
第１物質を満たしている容器空間及び該容器空間と連通する開口を形成する本体と、
蓋部と、該蓋部を囲むように接するリング部と、前記蓋部と前記リング部との間に環状に設けられる浸透防止部と、を備える前記本体上にキャップされる蓋部材と、
前記第１物質と混合した第２物質を中に納めるための収納部を備えた密封部材と、
前記開口の中に設けられたホルダー手段であって、外側ホルダー部材及び軸が前記外側ホルダー部材の外軸穴に設けられた内側ホルダー部材から成り、前記外側ホルダー部材と内側ホルダー部材とのかみ合わせにより、前記密封部材を前記内側ホルダーの内軸穴を封じることによって、前記ホルダー手段の中にホールドし、その中で前記外側ホルダー部材は、ショルダー部を形成し、前記ショルダー部が前記本体上を跨ぐように設けられ、更に前記蓋部材が前記本体上にキャップされる場合、前記ショルダー部と前記蓋部材の浸透防止部とが密接し、前記本体に満ちている第１物質が前記開口から外部に漏れるのを防ぐ、ホルダー手段と、
軸方向が前記内側ホルダー部材の中に設置されたオープン部材であって、最上部に設けられたプッシュ部と、底部に設けられたカッティング部と、前記カッティング部と連接する制限部と、前記容器空間、前記開口、前記内軸穴と相互に連通することができる流通穴と、を備え、前記プッシュ部が押されて前記オープン部材と前記内側ホルダー部材の表面とが接触した場合、前記カッティング部は前記第２物質に納められている密封部材をカットし、前記第２物質の密封状態を解除することができ、前記制限部は前記カッティング部のカット範囲を制限し、前記第２物質をスムーズに前記容器空間に落下させ、前記第１物質と混合させ、また前記密封部材のカットされた部分をその残りの部分と連接させ、前記容器空間の中に落とさないようにすることができる、オープン部材と、
を備えることを特徴とする分離貯蔵構造を備える容器装置。
【請求項２】
前記第１物質は気体、固体、液体、及びその他の混合体からなるグループの一つを自由に選択できることを特徴とする請求項１に記載の分離貯蔵構造を備える容器装置。
【請求項３】
前記浸透防止部は前記蓋部材に形成される凸リング又は漏れ防止効果を備える密封膜から成るグループの一つを自由に選択できることを特徴とする請求項１に記載の分離貯蔵構造を備える容器装置。
【請求項４】
前記密封部材はアルミ箔材、プラスチックシート、紙類から成るグループの一つを自由に選択できることを特徴とする請求項１に記載の分離貯蔵構造を備える容器装置。
【請求項５】
前記外側ホルダー部材は前記外側ホルダーの外壁に間隔を置いて設けられる第２嵌合部を備えることを特徴とする請求項１に記載の分離貯蔵構造を備える容器装置。
【請求項６】
前記第１嵌合部は凸点構造であることを特徴とする請求項５に記載の分離貯蔵構造を備える容器装置。
【請求項７】
前記第１嵌合部は連続で又は間隔を置いて設置される凸縁、凸ブロック、及び凸点から成るグループの一つを自由に選択できることを特徴とする請求項５に記載の分離貯蔵構造を備える容器装置。
【請求項８】
前記外側ホルダー部材は、前記外側ホルダー部材の最上部に形成され、外側に伸び、前記本体上を跨ぐように設けられ、且つ前記蓋部材が前記本体上にキャップされる場合、前記蓋部材の浸透防止部と密接するショルダー部を備えることを特徴とする請求項１に記載の分離貯蔵構造を備える容器装置。
【請求項９】
前記外側ホルダー部は、前記外側ホルダー部の内壁に間隔を置いて環状に接している第１ホルダー部を備えることを特徴とする請求項１に記載の分離貯蔵構造を備える容器装置。
【請求項１０】
前記第１ホルダー部と前記外側ホルダー部材の内壁との間に複数の第２嵌合部が形成されることを特徴とする請求項９に記載の分離貯蔵構造を備える容器装置。
【請求項１１】
前記第２嵌合部は浮き彫り部分であることを特徴とする請求項１０に記載の分離貯蔵構造を備える容器装置。
【請求項１２】
前記外側ホルダー部は円形で空洞状を呈する外軸穴を備えることを特徴とする請求項１に記載の分離貯蔵構造を備える容器装置。
【請求項１３】
前記外側ホルダー部材は少なくともひとつの位置決め部を備えることを特徴とする請求項１に記載の分離貯蔵構造を備える容器装置。
【請求項１４】
前記第１位置決め部は、前記外側ホルダー部材の内壁に設けられ、前記外側ホルダー部材の内壁から下に向かって縮小していく構造のもので、且つ前記第１位置決め部と前記外側ホルダー部材の内壁との間にはわずかな隙間が空いており、前記密封部材の両側を前記わずかな隙間の中に納めることができることを特徴とする請求項１３に記載の分離貯蔵構造を備える容器装置。
【請求項１５】
前記第１位置決め部は前記外側ホルダー部材の底部の延長線上に設けられることを特徴とする請求項１３に記載の分離貯蔵構造を備える容器装置。
【請求項１６】
前記第１位置決め部は半円状を呈する凸ブロックであることを特徴とする請求項１３に記載の分離貯蔵構造を備える容器装置。
【請求項１７】
前記第１位置決め部は連続で又は間隔を置いて設置される凸点、ラフな構造、歯型構造から成るグループの一つを自由に選択できることを特徴とする請求項１３に記載の分離貯蔵構造を備える容器装置。
【請求項１８】
前記内側ホルダーは前記第１ホルダー部に対応してホールドする第２ホルダー部を備え、前記外側ホルダー部の内壁に設置される内側ホルダー部材を動かないようにすることを特徴とする請求項９に記載の分離貯蔵構造を備える容器装置。
【請求項１９】
前記第２ホルダー部は、前記内側ホルダー部材の外壁から下に向かって縮小していく構造のもので、前記第２ホルダー部と前記外側ホルダー部材の内壁との間にわずかな隙間を空け、前記密封部材の両側を前記わずかな隙間の中に納めることができることを特徴とする請求項１８に記載の分離貯蔵構造を備える容器装置。
【請求項２０】
前記内側ホルダー部材は、前記容器空間及び前記開口と相互に連通する内軸穴を備え、混合した第１物質及び第２物質が前記容器空間と前記開口との間において自在に流れることができるようにすることを特徴とする請求項１に記載の分離貯蔵構造を備える容器装置。
【請求項２１】
前記オープン部材は、前記オープン部材の最上部に設けられたプッシュ部と、前記オープン部材の底部に設けられた複数のカッティング部と、前記カッティング部と連接する少なくともひとつの制限部と、前記容器空間、前記開口、前記内軸穴と相互に連通することができる流通穴と、を備えることを特徴とする請求項１に記載の分離貯蔵構造を備える容器装置。
【請求項２２】
前記プッシュ部は、カーブした突起を呈し、且つ前記内側ホルダー部の表面から突出するように設けられた構造のものであることを特徴とする請求項２１に記載の分離貯蔵構造を備える容器装置。
【請求項２３】
前記プッシュ部と前記内側ホルダー部材の表面との距離は、前記カッティング部と前記密封部材との間の距離よりも大きいことを特徴とする請求項２２に記載の分離貯蔵構造を備える容器装置。
【請求項２４】
前記プッシュ部は、円形の凹状を呈し、前記ホルダー手段とほぼ水平を保つ構造であることを特徴とする請求項２１に記載の分離貯蔵構造を備える容器装置。
【請求項２５】
前記プッシュ部と前記蓋部の底面との間の距離は、前記カッティング部と前記密封部材との間の距離よりも大きいことを特徴とする請求項２４に記載の分離貯蔵構造を備える容器装置。
【請求項２６】
前記カッティング部は、複数の円錐状で先端の尖った構造であることを特徴とする請求項１６に記載の分離貯蔵構造を備える容器装置。
【請求項２７】
前記制限部は両側のカッティング部間に設けられた平坦構造のもので、前記カッティング部の前記密封部材に対するカット範囲を制限するためのものであることを特徴とする請求項２１に記載の分離貯蔵構造を備える容器装置。
【請求項２８】
前記制限部は、隣接するカッティング部の間に位置し、前記カッティング部の前記密封部材に対するカット範囲を制限するものであることを特徴とする請求項２１に記載の分離貯蔵構造を備える容器装置。
【請求項２９】
前記流通穴は、前記プッシュ部の中央に形成され、ここから混合された前記第２物質及び前記第１物質を取り出すことができることを特徴とする請求項２１に記載の分離貯蔵構造を備える容器装置。
【請求項３０】
前記第２物質は、気体、固体、液体、及びその他の混合体から成るグループの一つを自由に選択できることを特徴とする請求項１に記載の分離貯蔵構造を備える容器装置。
【考案の詳細な説明】
【技術分野】
【０００１】
本考案は容器装置に関するもので、特に使用する前に異なる物質を別々に貯蔵することができる分離貯蔵構造を備えた容器装置に関するものである。
【背景技術】
【０００２】
ある種の使用又は飲用時に混合される配合剤や添加剤、液体溶液、気体又はその他の混合された物質などの異なった物質の製品は、通常は別々に開封し、水に戻すことで食用できるジスルフィラム（Antabuse）、新鮮活性ビタミンＣパウダー、二酸化炭素等の配合剤や添加剤をパッケージングした後、当該配合剤に水、美溶液、酸素、又はその他をしばらくしてから混合物質に入れて初めて使用又は食用できるが、このようなものは、その過程が複雑で、パッケージングも過多になってしまうという欠点があった。
【０００３】
上記の欠点を改善するために、台湾の専利（日本の発明特許法、新型特許法、意匠法に相当）公告番号第２３１６３２号の新型専利申請案として分離貯蔵構造を備える蓋体が提出され、当該蓋体２は飲料瓶１の口を塞ぐことができるものである。図１に示すように、当該蓋体２は密封リング２２及び当該密封リング２２に差し込まれる尖った円錐状の圧力バー３を含み、当該密封リング２２の本体３１の底には、当該本体３１に接合する薄膜４が設置され、当該圧力バー３内部は添加物６の設置に提供される容量スペースｓが形成される。当該蓋体２の外側には、更に当該圧力バー３が圧力を受けないように守る防護蓋５が備えられ、当該防護蓋５の上には、当該蓋体２の最上端を突き抜けて、側面まで伸びるテアリング部材５２が設置され、使用者は当該テアリング部材５２を分離した後、力を加えて当該圧力バー３を押し、当該薄膜４を刺して、更に当該圧力バー３内の添加物６と当該飲料瓶１内の飲料１２とを混ぜ合わせる。
【０００４】
ただし、当該蓋体２にはガイド構造や位置決め構造が備えられておらず、当該圧力バー３を自由に時計回りか反時計回りの方向で、当該密封リング２２に対して旋回させ、当該薄膜４を当該圧力バー３によって当該飲料瓶１の中に切り落とし、当該薄膜４と当該飲料瓶１内の飲料１２とを混ぜ合わすことができる。そのため、当該蓋体２は従来技術における混ぜ合わせ過程の煩雑さやパッケージング過多という欠点を改善しているにもかかわらず、当該薄膜４が切り開かれた後に当該飲料瓶１の中に落ちないことを確実にすることができず、当該飲料瓶１内の飲料１２が汚染や変質したりする恐れがあった。
【０００５】
同時に、当該蓋体２における防護蓋５の最上部に、テアリング部材５２が開けられて密閉されていない場合、当該密封リング２２と当該圧力バー３との接触面に極めて精密な加工を行い、当該密封リング２２と当該圧力バー３の表面との間が完全に密接するように相互に接合させてこそ気密効果が得られる。しかしながら、このような非常に精密な加工は製造工程が困難である上に、より高いコストが必要である。さらに、当該密封リング２２と当該圧力バー３との表面間が完全に密着して接合している場合、使用者が圧力バー３を押しにくくなるという問題が生じる。
【０００６】
また、このような従来技術では飲料瓶の蓋体と分離貯蔵構造とが相互に結び付けられており、既存の容器装置の蓋に適さず、再設計する必要があるだけでなく、特定の規格やサイズの回し蓋設備に合わせたり、又は既存の回し蓋設備を改修したりして、蓋体を容器装置に合わせなければならず、再使用もできない。そのため、既存の蓋体、容器装置、回し蓋設備に応用できないだけでなく、回し蓋設備の改修や再設計におけるコストが必然的にかかり、リサイクルや再利用の概念のほかに、コストが大幅に増加するという問題も起こる。
【０００７】
さらに、一種の貯蔵飲料配合剤構造を備える容器装置によって、上述の蓋体の欠点を改善できると期待する見方もある。図２に示すように、当該容器装置は、瓶の口に接続して設置された飲料配合剤１１０を貯蔵するパッケージ１１１を提供し、当該パッケージ１１１中の２枚の密封膜１１３で塞いで形成される容器空間ｓ′に、飲料配合剤１１０が貯蔵される。下圧の軸線方向が当該パッケージ１１１の内側環体１１５におけるプッシュバー１１７に設置された後、当該プッシュバー１１７によって２枚の密封膜１１３における密接状態が解かれ、当該気密空間内に貯蔵されている飲料配合剤１１０をスムーズに瓶の中にある飲用の液体に落とすことができる。
【０００８】
ただし、当該容器装置は当該プッシュバー１１７及び内側環体１１５上にそれぞれガイドレール及びガイドスライドなどのガイド構造が設けられており、当該プッシュバー１１７が決まった方向により上下に移動するが、２枚の密封膜１１３の間には、一定の高さの容器空間ｓ′が形成され、当該プッシュバー１１７の上下の移動も一定の高さが必要であるため、当該容器装置の瓶の蓋９は特殊設計によって初めてこの貯蔵飲料配合剤１１０の構造に対応することができるようになる。そのため、このような容器装置にも、前述の蓋体が既存の容器装置に適さず、再設計が必要であることによって起こる様々な欠点がある。
【０００９】
同時に、当該容器装置の瓶の蓋は膜を開ける特殊な設計によってこそ、飲料配合剤を貯蔵できるため、これでは膜を開ける複雑性が増すだけでなく、製造コストもこれによって増加する。また、２枚の密封膜を使用することで飲料配合剤の貯蔵を行うことも、製造プロセスの煩雑さ及び製造コストの増加を招く。さらに、使用者も再び２枚の密封膜で瓶の口を塞ぎにくいため、これをリサイクルして再利用することもできない。そのため、容器装置には改善点が存在する。
【００１０】
また、別の容器装置も提供する。図３に示すように、当該容器装置は第１内容物７（例えば、液体溶液）及びそれと浸透し合う第２内容物８（例えば、配合剤）を分離貯蔵することができ、使用時において、瓶の蓋９を下に押してから上に引っ張ることで、当該第１内容物７と第２内容物８とを混ぜ合わせ、混ぜ合わさった内容物を・・・カッティング部材１０から瓶の口の流出穴１０ａと当該瓶の蓋９の最上部の穴９ａとから流出させ、飲用の動作を完了する。
【００１１】
しかしながら、当該容器装置はまず当該瓶の蓋９を当該容器装置の上瓶１１ａに組み込み、さらに当該上瓶１１ａ中の第１及び第２の八角形の貯蔵パッケージ１１１ａ、１１１ｂとカッティング部材１０とをそれぞれ組み立てた後、当該容器装置の上瓶１１ａをその下瓶１１ｂに組み合わせる。このような従来の容器装置における組み立て手順が煩雑で製造過程が複雑であるため、その製造コストも割高になる。さらに、当該瓶の蓋９、上瓶１１ａ、及び下瓶１１ｂはセットで設計されているため、既存の容器装置には応用することができない。
【００１２】
同時に、従来の当該容器装置は、使用時において、瓶の蓋９を下に押してから上に引っ張るので、目的を達するためには、やや多めの動作が必要である。さらに、従来の当該容器装置は瓶の中における気密性構造を保つこともできず、容易に混ぜ合わせようとする物質が外部からの水分や空気にさらされたり、又は結露として外部に漏れたりした。また、従来の当該容器装置は分解及び組み立てが容易でなく、重複して使用する場合、使用者にとっては、当該第２内容物８を密封して固定することが実に難しく、重複使用には向いていない。ゆえに、従来の当該容器装置には改善が待たれる箇所がなお存在している。
【００１３】
そのため、上記２種類の従来使用されていた異なる物質の分離貯蔵における蓋体及び容器装置には様々な問題があり、製造難度が高くて組み立てが容易でない上、製造プロセスが複雑で製造コストも高くなり、気密性及び使用性での問題だけでなく、その応用性にも限界があった。それにより、異なる物質を分離貯蔵するために従来から用いられてきた蓋体及び容器装置は使用や製造において数々の問題をもたらしただけでなく、コストの増加を招き、高い気密効果及び安全性を提供することができなかった。ゆえに、異なる物質を分離貯蔵するために従来から用いられてきた蓋体及び容器装置には確実に欠点があり、改良が待たれる課題である。
【考案の開示】
【考案が解決しようとする課題】
【００１４】
これに基づいて、本考案は、構造を簡素化した分離貯蔵構造を備える容器装置を提供し、それにより製造工程を簡易化して、組み立て手順を容易にできることを主要目的とする。
【００１５】
また、本考案は、使用者が力を加えず楽々と当該容器装置内で混合された内容物を取り出せるようにし、また重複使用の困難性もなく、利便性及び環境保護にとってより優れている、使いやすい分離貯蔵構造を備える容器装置を提供することを目的とする。
【００１６】
また、本考案は、分離貯蔵構造を備える容器装置を提供し、当該分離貯蔵構造が既存の異なる容器装置に適用できることを目的とする。
また、本考案は、気密性に優れた分離貯蔵構造を備える容器装置を提供することを目的とする。
【課題を解決するための手段】
【００１７】
上記の目的及びその他の目的を達成するために、本考案の分離貯蔵構造を備える容器装置は、中身を取り出す前に、異なる物質を分離貯蔵するために用いることができる。当該容器装置には、第１物質を盛り込んだ本体、蓋部材、密封部材、ホルダー手段、及びオープン部材が含まれる。
【００１８】
当該本体は、容器空間及び容器空間とつながっている開口を形成している。当該本体上にキャップされている当該蓋部材には、蓋部、当該蓋部と環状に接しているリング部、及び当該蓋部と当該リング部との間に環状に設けられている浸透防止部が含まれる。当該密封部材は、当該第１物質と混ざり合った第２物質を中に収めておくために用いられる収納部を備えている。
【００１９】
当該ホルダー手段は、当該本体の開口の中に組み込まれ、外側ホルダー部材及び当該外側ホルダー部材の外軸穴の中に設置される内側ホルダー部材から成り、当該外側ホルダー部材と当該内側ホルダー部材とのかみ合わせにより、当該密封部材が当該内側ホルダー部材の内軸穴を密封するように、当該ホルダー手段の中に挟んで固定する。その中で、当該外側ホルダー部材はショルダー部を形成し、当該ショルダー部が当該本体上を跨ぐように設置され、また当該蓋部材が当該本体の第１物質上で蓋をしている場合、当該蓋部材の浸透防止部が緊密に接していることにより、当該本体に含まれている第１物質が当該開口から外部に浸透することを防ぐ。その中で、当該外側ホルダー部材及び当該内側ホルダー部材に対応する位置決め部を設定することで、それぞれの定位を固定する効果及び当該密封部材を挟んで固定する力を強化することが確保される。
【００２０】
当該オープン部材は、軸線方向が当該内側ホルダー部の中に設置されており、最上部に設けられたプッシュ部と、底部に複数設けられたカッティング部と、当該カッティング部と連接する少なくともひとつの制限部と、当該容器空間、当該開口、及び当該内軸穴と通じることができる流通穴と、を備え、プッシュ部を当該オープン部材と当該内側ホルダー部材との表面が接触するまで押した場合、当該カッティング部が当該第２物質を納めている密封部材をカットし、当該第２物質の密封状態を解くことができる。当該制限部は、当該カッティング部のカット範囲を制限し、当該第２物質がスムーズに当該容器空間に落ち、当該第１物質と混ざり合うようにし、さらに当該密封部材のカットされて開けられた部分が、その残りの部分と繋がって、当該容器空間に落ちないようにすることができる。
【００２１】
そのため、本考案の分離貯蔵構造を備える容器装置は、当該第１物質と当該第２物質とを楽に混ぜ合わせることができ、気密性を高め、混合する前の物質が汚染される憂慮もなく、簡素化された構造で、指先だけで簡単に混ぜ合わせることができるだけでなく、同時に製造コストを抑え、既存の異なる容器装置に適用でき、産業において幅広く応用するのに優れ、重複使用することもできる。
【００２２】
以下は、特定の具体的な実施例によって本考案を説明する実施方法であり、従来のこの技術を有する人は、本明細書で掲げる内容により、本考案のその他の利点及び効果を容易に理解することができる。本考案はまた、その他の異なる具体的な実施例により、実施又は応用することができ、本明細書における各項の詳細もまた、異なる観点や応用に基づいて、本考案の精神を離脱しない限り各種の追加や変更を行うことができるものとする。
【考案を実施するための最良の形態】
【００２３】
以下の実施例は本考案の観点を更に詳細に説明するものであるが、いかなる観点も本考案の範囲を制限するものではない。
【００２４】
［実施例１］
図４から図６は、本考案の分離貯蔵構造を備える容器装置の実施例１に基づいて表された図である。図に示されるように、本考案の分離貯蔵構造を備える容器装置には、第１物質３０が並々と入れられた本体２０、当該本体２０にキャップをする蓋部材４０、第２物質８０を収納するための密封部材６０、密封部材６０をホールドするホルダー手段５０、及び当該第２物質８０の密封状態を解除するためのオープン部材７０が含まれる。
【００２５】
本考案の実施方式は、設置使用時に初めて混合した異なる物質を瓶のような容器に入れることを例に説明しており、従来の容器は全て適用対象であり、その構造には変化がないため、簡単に考慮され、本考案の特徴及び構造を更にはっきりとわかりやすくさせる。図においては、容器と本考案が直接関連する構造を表しただけであり、その残りの部分については省略する。
【００２６】
図４に示されるように、当該本体２０には容器空間Ｓの容器部２０ａ、当該容器部２０ａ上に連接して設けられるネック部２０ｂ、及び当該容器空間Ｓと相互に通じる開口２０ｃが備えられている。当該容器空間Ｓは、当該第１物質３０を納めるために用いられる。当該ネック部２０ｂの上端に形成される開口２０ｃは、当該容器部２０ａの容器空間Ｓと相互に通じており、当該ネック部２０ｂの外壁は、第１スクリュー部２０ｄを形成している。当然のように、当該開口２０ｃ及び当該第１スクリュー部２０ｄの形状は図に示されているものに限らない。図に示すように、本実施例において、液体溶液を例として当該第１物質３０を説明しているのは、説明の便宜上であるため、本考案の第１物質３０はこの限りではないことを理解しておかなければならない。
【００２７】
当該蓋部材４０は、当該本体２０上に蓋をすることができるもので、蓋部４０ａ、当該蓋部４０ａと環状に接するリング部４０ｂ、当該リング部４０ｂの内壁に形成され当該第１スクリュー部２０ｄに対応してかみ合うように接続された第２スクリュー部４０ｃ、及び当該蓋部４０ａと当該リング部４０ｂとの間に環状に設けられた浸透防止部４０ｄが備えられている。当該浸透防止部４０ｄは、例えば当該蓋部材４０に形成された凸リング又はその他の同等の効果を有する構造を選択でき、当該本体２０の開口２０ｃを密封することができるだけでよく、当該浸透防止部４０ｄの構造は本考案で述べるものに限らない。その中で、当該本体２０の第１スクリュー部２０ｄと当該蓋部材４０の第２スクリュー部４０ｃとは、当該本体２０と当該蓋部材４０とを相互に嵌め合わせ、当該蓋部材４０を当該開口２０ｃに固定することができるだけでよく、その形状及び構造はその他の変更や修正を行うことができ、本実施例において述べられているものに制限されない。当該本体２０と当該蓋部材４０とのはめ込み技術は従来から知られているものであるので、ここでは余分な説明を省略する。
【００２８】
図に示すように、当該ホルダー手段５０は外側ホルダー部材５１及び分離自在な同軸が当該外側ホルダー部材に接するように設けられている内側ホルダー部材５３から構成され、当該開口２０ｃの中に組み込むことができる。当該外側ホルダー部材５１は、第１嵌合部５１ａ、ショルダー部５１ｂ、外軸穴５１ｄ、及び２つの第１位置決め部５１ｅを備える。当該第１嵌合部５１ａは、間隔を置いて当該外側ホルダー部材５１の外壁に設置される凸点構造を選択でき、当該外側ホルダー部材５１を当該ネック部２０ｂの内壁に嵌め合わせることができる。本実施例では、当該ネック部２０ｂを備える本体２０を例に、当該外側ホルダー部材５１と当該本体２０との間の嵌合状態を説明しているが、本考案を当該ネック部２０ｂのない本体２０に応用させる場合、当該外側ホルダー部材５１は当該本体２０の開口２０ｃ付近に嵌め合わせることができる。その中で、当該嵌合部５１ａは、連続で又は間隔を置いて設置される凸縁、凸ブロック、凸点又はその他の適当な構造を選択でき、言い換えれば、当該嵌合部５１ａの設置される数量及び構造はこれによって限られるものではない。
【００２９】
当該ショルダー部５１ｂは、当該外側ホルダー部材５１の先端部に形成され、外側に向かって伸び、当該ネック部２０ｂ上を跨ぐこともできる。当該ショルダー部５１ｂにより、当該ホルダー手段５０を当該本体２０のネック部２０ｂ上に設置できる。その中で、当該ショルダー部５１ｂは更に、当該蓋部材４０を当該本体２０上に蓋をする場合、当該蓋部材４０の浸透防止部４０ｄと密接することができ、これによって、当該本体４０に満たされている第１物質３０が当該開口２０ｃから外部に浸透することを防止する。また、当該ショルダー部５１ｂの形状は、本実施例中で述べたものに限らず、当該ホルダー手段５０を当該本体２０上に設置し、当該蓋部材４０に密接した浸透防止部４０ｄに対応させることができればよい。
【００３０】
本考案の分離貯蔵構造を備える容器装置は、当該ショルダー部５１ｂが当該蓋部材４０の浸透防止部４０ｄに密接することができ、装置内の気密性が高まり、それによって、従来技術における気密性が劣るという欠点を解決でき、混合される物質が汚染される憂慮もない。
【００３１】
当該外軸穴５１ｄは、当該外側ホルダー部材５１の中央に形成され、円形で空洞状のもので、混合された第１物質３０と第２物質８０とがその間で自由に流れることができるために用いられる。その中で、本実施例において、当該外軸穴５１ｄは、円形で空洞状であるが、当該外軸穴５１ｄの形状はこれに限らないことに注意しておく必要がある。
【００３２】
該当する第１位置決め部５１ｅは、それぞれ当該外側ホルダー部材５１の内壁及びその底部から伸びた場所に設けられ、当該外側ホルダー部材５１の内壁に設けられた当該第１位置決め部５１ｅは、当該外側ホルダー部材５１の内壁から下に向かって細くなる構造である。当該第１位置決め部５１ｅと当該外側ホルダー部材５１の内壁とにはわずかな隙間Ｇが空くことにより、当該密封部材６０の両側を当該わずかな隙間Ｇの中に置くことができる。本実施例において、当該第１位置決め部５１ｅは半円状の凸状のブロックであるが、当該第１位置決め部５１ｅはその中の一つの第１位置決め部５１ｅを設置するか又は複数の第１位置決め部５１ｅを設置するかを選択できるものであるだけで、本実施例に示すものに制限されないことに注意する必要がある。さらに、当該第１位置決め部５１ｅは半円状の凸形ブロックに限らず、連続して又は間隔を置いて設置された凸点、ラフな構造、歯型構造、及びその他の同等の効果を有する構造とすることができ、且つ２つの第１位置決め部５１ｅを異なる構造とすることもでき、実施例によって制限されない。
【００３３】
図に示すように、当該内側ホルダー部材５３は当該第１位置決め部５１ｅにかみ合わせることができる第２位置決め部５３ａと、当該容器空間Ｓ及び当該開口２０ｃとつながる内軸穴５３ｂとを備える。当該第２位置決め部５３ａは当該内側ホルダー部材５３の外壁から下に向かって縮小する構造のものを選ぶことができ、当該第２位置決め部５３ａが当該第１位置決め部５１ｅに合わせられる場合に、当該第２位置決め部５３ａと当該内側ホルダー部材５３の内壁との間にわずかな隙間Ｇが形成され、当該ホルダー部材５１と当該内側ホルダー部材５３とを取り外し可能なように相互に固定し、さらに当該外側ホルダー部材５１に設置されている内側ホルダー部材５３が動かないようにする。当該密封部材６０により収納された第２物質８０は、当該密封部材６０が当該内側ホルダー部材５３の内軸穴５３ｂを密封するようにして、当該密封部材６０の両端が当該わずかな隙間Ｇの中に収められ、当該密封部材６０を当該ホルダー手段５０に保つことができる。
【００３４】
このように、当該第１位置決め部５１ｅと当該第２位置決め部５３ａとの間に生まれるホルダー作用によって、第２物質８０を固くその中にホールドすることを確実にすることができる。その中で、本実施例において、当該内側ホルダー部材５３も中央が円形の空洞構造であり、その内軸穴５３ｂが混合された第１物質及び第２物質８０によって、当該容器空間Ｓ及び当該開口２０ｃの間で自由に流れるようにすることができる。
【００３５】
本実施例において、当該第１位置決め部５１ｅと当該第２位置決め部５３ａとの間に形成されるホルダー作用を例にして、当該密封部材６０内に収納される第２物質８０を当該ホルダー構造５０に保持しているが、当該第１位置決め部５１ｅ及び当該第２位置決め部５３ａの構造はこれに限らないことに注意しなければならない。当該密封部材６０を固くホールドし、当該容器本体２０の容器空間Ｓの中に落とさないようにするものであるだけでよい。例えば、当該第１位置決め部５１ｅと当該第２位置決め部５３ａとはそれぞれガイドレールとガイドスライドとに分けられ、当該ホルダー手段５０の移動を制限すると同時に、それによって組み立ての手引き効果も形成することができる。
【００３６】
同時に、本実施例において、当該第２物質８０はアルミ箔材、プラスチックフィルム、紙類又はその他の同等の効果を有するパッケージング材料を選択できる密封部材６０によりその収納部６０ａの中に気密性を保ってパッケージングされる。当該第１位置決め部５１ｅ及び当該第２位置決め部５３ａが当該密封部材６０を当該外側ホールド部材と当該内側ホールド部材との間にホールドできるパッケージング材料であれば、全て本考案に適用できる。
【００３７】
当然のように、当該密封部材６０は、収納する第２物質８０に応じて、異なるパッケージング材料とすることができ、また隔絶効果のある収納部６０ａを同時に使用することができ、当該密封部材６０によって収納された使用時に初めて混ぜ合わせられる多種類の物質は、１種類の第２物質８０をパッケージングするものに限らない。
【００３８】
同時に、当該第１物質３０及び当該第２物質８０は、この実施形態に限定されるものではなく、必要に応じて決められる。例えば、液体溶液及び配合剤、２種類の混合反応による気体又は２種類が混合反応できる液体は、全て実施例の範疇に含まれ、使用前に分離貯蔵されなければならず、使用時に混合される物資であれば全て本考案に適用される。
【００３９】
当該オープン部材７０は、軸線の向きを当該内側環体５３の内側ホルダー部材５３の中に設置されるように選択できる。図に示すように、当該オープン部材７０には、当該オープン部材７０の最上面に設けられたプッシュ部材７０ａと、当該オープン部材の底部に設けられたカッティング部７０ｂと、当該カッティング部７０ｂと連接される制限部７０ｃと、当該容器内部Ｓ、当該開口２０ｃ、及び当該内軸穴５３ｂと相互に連通することができる流通穴７０ｄと、が含まれる。当該プッシュ部７０ａはややカーブ状を呈した突起した構造のものであり、本実施例におけるプッシュ部７０ａは、当該内側ホルダー部材の表面に突起している。本実施例において、当該プッシュ部７０ａと当該内側ホルダー５３との表面における距離は当該カッティング部７０ｂと当該密封部材６０との間における距離よりも大きい。
【００４０】
図に示すように、当該カッティング部７０ｂは複数の先の尖った円錐形構造を備えることができ、該当する円錐状のカッティング部７０ｂは、当該第２物質８０の密封部材６０をカットして収納し、当該密封部材６０の当該第２物質８０に対する密封状態を解除することができ、当該第２物質８０と当該第１物質３０とを混ぜ合わせることができる。当然のごとく、当該カッティング部７０ｂは、当該密封部材６０の当該第２物質８０に対する密封状態を解除するその他の同等の効果を有する構造を選択することもでき、これによって制限されるものではない。
【００４１】
当該制限部７０ｃは当該カッティング部７０ｂの当該密封部材６０に対するカット範囲を制限するために用いられる。図に示すように、当該制限部７０ｃは、両側のカッティング部７０ｂの間に設けられた平坦構造である。当該カッティング部７０ｂが当該密封部材６０を切断する場合、当該制限部７０ｃにより当該カッティング部７０ｂの切断範囲を制限することができ、当該密封部材６０の当該カッティング部７０ｂによって切断された部分が、尚その残りの部分と連接するようにする。このようにすることで、当該密封状態が解除された第２物質８０がスムーズに当該容器空間Ｓに落下し、当該第１物質３０と混合し、当該切断された部分が当該容器空間Ｓに落下しないようにする。
【００４２】
本実施例では粉状の第２物質８０を例に説明をしているが、当然のように、当該第２物質８０が気体である場合、密封状態を解除された際、当該第２物質８０は当該容器空間Ｓに拡散し、気体であることも可能な当該第１物質３０と混ざり合う。当該流通穴７０ｄは、当該プッシュ部７０ａの中央に形成され、ここから混合された当該第２物質８０と当該第１物質３０とを取り出すことができる。つまり、当該第１物質３０及び当該第２物質８０はそれぞれ気体、固体、液体、およびその他の混合体の少なくとも一つとすることができる。
【００４３】
本考案の分離貯蔵構造を備える容器装置は、当該ホルダー手段５０により、その中にホールドされる密封部材６０が当該カッティング部７０ｂの切断力を受けずに、当該本体２０の容器内部Ｓに落下しないようにすることができ、当該制限部７０ｃは切断を制限する手段であることができ、当該カッティング部７０ｂによって切断された密封部材６０が落下しないようにできる。そのため、本考案の分離貯蔵構造を備える容器装置は、従来の技術における混合過程の煩雑さとパッケージングの多さという欠点を改善できるだけでなく、当該密封部材６０がカットされた後、当該本体２０内に落下せず、当該本体２０内の第１物質３０、飲料１２が汚染されて変質しないことを確保することができる。
【００４４】
図５に示すように、当該本体２０、第１物質３０、蓋部材４０、ホールド手段５０、オープン部材７０、及び第２物質８０が相互に組み立てられた後、当該ショルダー部５１と当該蓋部材４０の浸透防止部４０ｄとが密接し、気密状態を形成することができ、当該本体２０に十分注入された第１物質３０が当該開口２０ｃから外部へ浸透することを防止できるほかに、外部の水や空気が当該本体２０に浸入するのを避けることができる。同時に、本考案の分離貯蔵構造を備える容器装置は、製造工程が容易で、組み立て手順も簡単であり、既存の異なる容器装置にも適用できるため、従来技術の欠点を解決し、既存の装置に幅広く応用することができる。
【００４５】
当該第１物質３０と当該第２物質８０とを混ぜ合わせようとする場合、図６に示すように、使用者は指で当該蓋部材４０のプッシュ部７０ａを押すだけで、当該蓋部材４０を下に動かせ、当該カッティング部７０ｂの先端が当該密封部材６０に接触し、続いて当該カッティング部７０ｂによって当該密封部材６０がカットされ、これによって当該第２物質８０の密封状態が解除され、当該第１物質３０と当該第２物質８０とを混ぜ合わせることができる。同時に、当該制限部７０ｃが当該カッティング部７０ｂの切断範囲を制限しているため、切断された密封部材６０が当該容器空間Ｓに落ちないようにする。このようにして、当該容器空間Ｓ、当該開口２０ｃ、及び当該内軸孔５３ｂと相互に連通した流通穴７０ｄによって混合された物質を簡単に取り出すことができる。
【００４６】
当該蓋部材４０及び当該本体２０は、当該浸透防止リング４０ｄと当該ショルダー部５１ｂとの密接状態により密封されているため、完全に密接した方法で相互に接合されており、従来技術における極めて精密な加工によって気密効果を達成する必要がなく、さらに圧力バーを押しにくいという問題もない。そのため、従来技術の製造工程の困難性及びコストの割高という問題を解決でき、使用者は力を入れず、簡単に当該容器装置の中の混合された内容物を取り出せ、優れた利便性を備え、コストも節約できる。
【００４７】
［実施例２］
図７から図１１は、本考案の分離貯蔵構造を備える容器装置における実施例２に基づいて描かれたものである。図に示すように、本考案の分離貯蔵構造を備える容器装置は、第１物質３０′がたくさん注がれた本体２０′と、当該本体２０′にキャップする蓋部材４０′と、第２物質８０′を収納するための密封部材６０′と、当該密封部材６０′を引っかけるホルダー手段５０′と、当該第２物質８０′の密封状態を解除するためのオープン部材７０′と、を備える。ここで、本実施例における分離貯蔵構造を備える容器装置は前述の実施例の作用と同じであり、前述の実施例に類似する部材の番号は、同等の作用で構造の異なる部材を表すため、同等の作用については改めて述べず、異なる構造と作用についてのみ説明し、本考案における特徴と利点を更にわかりやすくさせる。
【００４８】
本実施例が前述の実施例１と異なる点は、当該ホルダー手段５０′が当該外側ホルダー部材５１′の内壁に環状に接する第１ホルダー部５１ｃ′を備えることであり、図７から図１０に示すように、当該第１ホルダー部５１ｃ′と当該外側ホルダー部５１′の内壁との間には、第２嵌合部として４個の浮き彫り部分が形成され、当該内側ホルダー部材５３′の外壁から下に向かって縮小している第２ホルダー部５３ａ′を当該第２嵌合部５１ｆ′に嵌め合せることにより、当該第１ホルダー部５１ｃ′と当該第２ホルダー部５３ａ′とを相互にホールドする。当然のように、該当する第２嵌合部５１ｆ′の形状及び数量はここに限られたものでなく、当該第２ホルダー部５３ａ′を当該第１ホルダー部５１ｃ′に対応してホールドさせられるものであればよい。本実施例では、当該第１ホルダー部５１ｃ′が対応する第２ホルダー部５３ａ′の間に生成されるホールド作用を例にして、当該密封部材６０′に収納される第２物質８０′を当該ホルダー手段５０′の中に保持しているが、当該第１ホルダー部５１ｃ′及び当該第２ホルダー部５３ａ′の構造はこの限りにあらず、当該密封部材６０′を固くホールドし、当該本体２０′の容器空間Ｓ′に落とさないものであればよいことに注意しなければならない。
【００４９】
当該オープン部材７０′のプッシュ部７０ａ′と当該ホルダー手段５０′とは、ほぼ水平であり、当該プッシュ部７０ａ′はやや円形の凹状を呈しており、使用者が指で押せるようになっているものである。このようにして、当該蓋部材４０′の蓋部４０ａ′は、平坦な表面を備えることができ、当該オープン部材７０′の形状に合わせる必要がなく、当該プッシュ部７０ａ′と当該蓋部４０ａ′の底面との間における距離が当該カッティング部７０ｂ′と当該密封部材６０′との間の距離よりも大きいものであればよい。その中で、当該本体２０′と前述の実施例の本体２０とが異なるのは、当該本体２０′にはネック部がなく、言い換えれば、本考案の分離貯蔵構造を備える容器装置は、取り出す前に異なる物質を別々に貯蔵する必要があるあらゆる容器に適用でき、従来技術の欠点を解決するだけでなく、幅広い産業利用性を備えている。
【００５０】
図に示すように、当該浸透防止部４０ｄ′は、例えば漏れ防止効果のある密封膜又はその他の同等の効果を有する構造を選択でき、当該本体２０′の開口２０ｃ′を密封する。当該制限部７０ｃ′は、隣り合うカッティング部７０ｂ′の間に設けられ、当該外側ホルダー部５１′及び当該内側ホルダー部５３′には、嵌合作用を強化することができる位置決め構造が設けられている。このようにして、当該第２物質８０′の当該ホルダー手段５０′におけるホールド効果を確保することができ、更に当該第２物質８０′の密封状態を解除し、当該第２物質８０′をスムーズに当該第１物質と混合させ、当該容器空間Ｓ′に落とさないようにする。
【００５１】
図１１に示すように、当該プッシュ部７０ａ′が押された後に、当該第２物質８０′の密封状態が解除される。この場合、流通穴７０ｄ′は押されたことにより、当該内側ホルダー部５３′の中に位置しているが、使用者は変わらずここから混合された物質を取り出すことができる。分離貯蔵構造を備える容器装置を使用した後に、いかなる従来の方法によっても簡単に清掃、消毒ができ、再利用することができる。
【００５２】
また、当該第２ホルダー部５３ａ′は当該内側ホルダー部５３′の外壁から下に向かって縮小している構造を選択できるため、当該第２ホルダー部５３ａ′と当該外側ホルダー部材５１′の内壁との間には、わずかな隙間Ｇ′が空いており、当該密封部材６０′の両側は当該わずかな隙間Ｇ′の中に置くことができる。そのため、使用者にとっては、繰り返し使用する際に、当該密封部材６０′を当該ホルダー手段５０′の中に保持しにくいという問題がなくなる。
【００５３】
本考案の分離貯蔵構造を備える容器装置は、構造が簡単で、取り外し及び組み立てが容易であり、使用者は繰り返し使用する際に、分解したり又は組み立てたりする困難が全くなく、分離貯蔵したい物質を簡単に適当な位置に固定できる。そのため、従来技術と比較しても、本考案は、構造が簡単で使用しやすい分離貯蔵構造を備える容器装置を提供し、使用者が力を省いて、簡単に当該容器装置の中の混合された内容物を取り出せるようにし、繰り返し利用する困難さがなく、優れた利便性を備えている。
【００５４】
同時に、本考案の分離貯蔵構造を備える容器装置は、組み立て及び製造工程が簡単で、容器に高い気密性を保たせる場合でも、組み立て及び製造コストを抑え、コストを節約することができ、既存の異なる容器装置にも応用でき、繰り返し使用することにも優れている。
【００５５】
以上で述べたものは、本考案の比較的優れた実施方法であるだけで、本考案の範囲を限定するためのものではない。また、本考案は実際に更なるその他の変更をすることができるため、本考案に付記される実用新案登録請求の範囲に定める広義の精神と観点に背かない状況において、各種の同等の効果を有する形式又は修飾の変更は、全て本考案で述べる権利範囲に属するものとする。
【図面の簡単な説明】
【００５６】
【図１】従来の分離貯蔵構造を備える蓋体の断面図である。
【図２】従来の分離貯蔵構造を備える容器装置の断面図である。
【図３】別の従来の分離貯蔵構造を備える容器装置の断面図である。
【図４】本考案における実施例１の分離貯蔵構造を備える容器装置の断面図である。
【図５】本考案における実施例１の分離貯蔵構造を備える容器装置の組み合わせ断面図である。
【図６】本考案における実施例１の分離貯蔵構造を備える容器装置のカッティング部が押された後の断面イメージ図である。
【図７】本考案における実施例２の分離貯蔵構造を備える容器装置の断面図である。
【図８】本考案における実施例２の外側ホルダー部材の俯瞰図である。
【図９】本考案における実施例２の内側ホルダー部材の立体イメージ図である。
【図１０】本考案における実施例２の分離貯蔵構造を備える容器装置の組み合わせ断面図である。
【図１１】本考案における第２実施例の分離貯蔵構造を備える容器装置のカッティング部が押された後の断面イメージ図である。
【符号の説明】
【００５７】
１  飲料瓶
２  蓋体
３  圧力バー
４  薄膜
５  防護蓋
６  添加物
７  第１内容物
９  瓶の蓋
８  第２内容物
９ａ  開口
１０  カッティング部材
１０ａ  流出穴
１１ａ  上瓶
１１ｂ  下瓶
１２  飲料
２０、２０′、３１  本体
２０ａ、２０ａ′  容器部
２０ｂ  ネック部
２０ｄ、２０ｄ′  第１スクリュー部
２０ｃ、２０ｃ′  開口
３０、３０′  第１物質
２２  密封リング
４０、４０′  蓋部材
４０ａ、４０ａ′  蓋部
４０ｂ、４０ｂ′  リング部
４０ｃ、４０ｃ′  第２スクリュー部
４０ｄ、４０ｄ′  浸透防止部
５０、５０′  ホルダー手段
５１、５１′  外側ホルダー部材
５１ａ、５１ａ′  第１嵌合部
５１ｂ、５１ｂ′  ショルダー部
５１ｃ′  第１ホルダー部
５１ｅ  第１制限部
５１ｄ、５１ｄ′  外軸穴
５１ｆ′  第２嵌合部
５２  テアリング部材
５３、５３′  内側ホルダー部材
５３ａ′  第２ホルダー部
５３ａ  第２制限部
５３ｂ、５３ｂ′  内軸穴
６０、６０′  密封部材
６０ａ、６０ａ′  容器部
７０、７０′  オープン部材
７０ａ、７０ａ′  プッシュ部
７０ｂ、７０ｂ′  カッティング部
７０ｃ、７０ｃ′  制限部
７０ｄ、７０ｄ′流通穴
８０、８０′  第２物質
１１０  飲料配合剤
１１１  パッケージ
１１１ａ、１１１ｂ  貯蔵パッケージ
１１３  密封膜
１１５  内環体
１１７  プッシュバー
Ｇ、Ｇ′  わずかな隙間
Ｓ、Ｓ′、ｓ、ｓ′  容器空間
【図１】
0003101287.tif 000003
【図２】
0003101287.tif 000004
【図３】
0003101287.tif 000005
【図４】
0003101287.tif 000006
【図５】
0003101287.tif 000007
【図６】
0003101287.tif 000008
【図７】
0003101287.tif 000009
【図８】
0003101287.tif 000010
【図９】
0003101287.tif 000011
【図１０】
0003101287.tif 000012
【図１１】
0003101287.tif 000013